(57)【要約】      （修正有）【課題】タイムリーに香りがし、殺菌してマスクの効果を高める香り付マスクを提供する。【解決手段】香り付マスクは、使用者の鼻及び口を覆うマスク本体１、香り袋２、及び、天然エッセンシャルオイル溶液の粒子３を含み、芳香殺菌作用を有する。マスク本体は、左右両側に設けられ耳に付けられるイヤーストラップ１４と、マスク本体の上部が鼻梁及び頬に取り付けられるように、外縁の上端に設けられるプラスチック製のブレース１３と、厚み方向の真ん中の層に設けられ、袋口１２がブレースの中にあり、両方の鼻梁に近接する二つの収納袋１１と、を有する。香り袋は、二つの収納袋の中に収納される。粒子は香り袋に入れられ、使用するとき割られ、香りを放出する。【選択図】図１
0003213595.tif 000002
【実用新案登録請求の範囲】
【請求項１】
使用者の鼻及び口を覆うマスク本体、香り袋、及び、天然エッセンシャルオイル溶液の粒子を含み、芳香殺菌作用を有する香り付マスクであって、
前記マスク本体は、
左右両側に設けられ耳に付けられるイヤーストラップと、
当該マスク本体の上部が鼻梁及び頬に取り付けられるように、外縁の上端に設けられるプラスチック製のブレースと、
厚み方向の真ん中の層に設けられ、袋口が前記ブレースの中にあり、両方の鼻梁に近接する二つの収納袋と、を有し、
前記香り袋は、前記収納袋の中に収納され、
前記粒子は前記香り袋に入れられ、使用するとき割られ、香りを放出することを特徴とする香り付マスク。
【請求項２】
前記マスクの前記収納袋は、縫製されているか、または、熱圧着されている請求項１に記載の香り付マスク。
【請求項３】
前記香り袋は、エアリー素材で作られている請求項１に記載の香り付マスク。
【請求項４】
前記香り袋は、不織布で作られている請求項１に記載の香り付マスク。
【請求項５】
前記天然エッセンシャルオイル溶液は、治療効果を有する薬物組成物が添加されている請求項１に記載の香り付マスク。
【考案の詳細な説明】
【技術分野】
【０００１】
本考案は、芳香殺菌作用を有する香り付きマスクに関する。
【背景技術】
【０００２】
マスクをつけることは、主に空気中の埃や懸濁粒子や細菌やほかの有害物質を使用者の鼻及び口に吸入することを防ぐ。また、マスクをつけている人の細菌が周りの人及び環境に拡散することを防ぐ。現在の普通のマスクは、両側が鼻及び口を覆うように耳に付けられており、マスクの上縁には、鼻及び鼻梁及び頬に取り付けられる曲げ可能なプラスチック部分が設けられている。
その上、マスクの各フィルタ層の中には、活性炭粒子のフィルタ層が一つある。空気中の埃や懸濁粒子の吸着及び消臭及び殺菌に活性炭の高い吸着容量が使用される。しかし、殺菌脱臭効果はかなり限定されており、常に一般的な埃や異物だけを防ぐことができ、悪臭を減らす。殺菌脱臭効果は徹底されない。
【考案の概要】
【考案が解決しようとする課題】
【０００３】
それで、殺菌し、香りがするために、芳香族錠剤をマスクの隙間またはマスクの真ん中に挿入する。しかし、芳香族錠剤が蒸発すると効果がなくなるため、このマスクと芳香族錠剤をちゃんと包装に保管し、外に香りが出ることを防がなくてはならない。また、使用するとき、香りがする容量を調整できないので、マスクをつけている人に鼻づまり及びめまい及びいくつかの兆候を感じさせる。その上、香りがする速度が早いので、香りがし、殺菌する効果はタイムリーであるが、香りがする時間を任意に延ばすことはできない。
【課題を解決するための手段】
【０００４】
本考案は、香り付マスクを提供する。
香り付マスクは、使用者の鼻及び口を覆うマスク本体、香り袋、及び、天然エッセンシャルオイル溶液の粒子を含み、芳香殺菌作用を有する。
マスク本体は、左右両側に設けられ耳に付けられるイヤーストラップと、当該マスク本体の上部が鼻梁及び頬に取り付けられるように、外縁の上端に設けられるプラスチック製のブレースと、厚み方向の真ん中の層に設けられ、袋口がブレースの中にあり、両方の鼻梁に近接する二つの収納袋と、を有する。
香り袋は、二つの収納袋の中に収納される。
粒子は香り袋に入れられ、使用するとき割られ、香りを放出する。
【０００５】
この香り付マスクは、収納袋に香り袋が収納されるため、マスク本体を付けるとき、香り袋は袋口にあるブレースに押さえられる。それで、各粒子はきちんと両側の鼻梁に近接した位置に置かれる。使用者の意志により、任意に天然芳香族エッセンシャルオイル溶液があるいくつかの粒子を割ることができる。
本考案の香り付マスクは、微かな香りがし、殺菌し、消臭することができる。殺菌するために、タイムリーに香りがする。適時に香りがし、殺菌する効果があり、マスクの効果が高められる。
【図面の簡単な説明】
【０００６】
【図１】本考案の香り付マスクの分解斜視図。
【図２】本考案の香り付マスクの断面図。
【図３】本考案の香り付マスクの使用状態を示す図。
【図４】粒子袋の断面図。
【実施例】
【０００７】
図１、２、３を参照する。本考案は、使用者の鼻及び口を覆うマスク本体（１）、香り袋（２）、天然エッセンシャルオイル溶液の粒子（３）を含み、芳香殺菌作用を有する香り付マスクを提供する。
【０００８】
マスク本体（１）は耳に付けられるように、左右両側にイヤーストラップ（１４）が設けられているので、鼻がすべて覆われる。その上、マスク本体（１）の外縁の上端にプラスチック製のブレース（１３）が貼り付けてあるので、マスク本体（１）の上部は両方の鼻梁及び頬にしっかり取り付けられる。また、マスク本体（１）の厚み方向の真ん中の層には、鼻梁の両側に収納袋（１１）がある。この収納袋（１１）の袋口（１２）はマスク本体（１）の上のブレース（１３）の中にある。
【０００９】
香り袋（２）は収納袋（１１）にあり、エアリー素材で作られ、外し、交換出来る。
【００１０】
粒子（３）（図４を参照する）は小さくて丸い粒子で、中に天然エッセンシャルオイル溶液がある。その粒子（３）は香り袋（２）に入れられる。
【００１１】
マスク本体（１）を使用するとき、二つのイヤーストラップ（１４）が耳に付けられているので、使用者の鼻が覆われる。その上、ブレース（１３）があるため、マスク本体（１）は鼻梁及び頬に取り付けられる。また、ブレース（１３）の頬と鼻梁の両方の間に香り袋（２）が設けられる。鼻及び口との安全な距離がある。
マスクを付けているとき、使用者の意志により、天然エッセンシャルオイル溶液（３１）の粒子（３）を任意に割ると、香りが放出され、殺菌効果が得られる。天然エッセンシャルオイルが出ると、香り袋（２）とマスク本体（１）の収納袋（１１）に浸透し、使用者に直接接触しないため、皮膚アレルギーを引き起こすことが防げる。
【００１２】
再使用する場合、ほかの粒子（３）を割り続ける。そうすると、天然エッセンシャルオイルが出るので、マスク（１）本体が殺菌消臭される。粒子（３）を全部割った後、ほかの香り袋（２）が交換できる。
【００１３】
その内、マスク（１）本体の収納袋（１１）は縫製されているか、または熱圧着されてい。
【００１４】
その内、香ばしい袋（２）は不織布で作られている。
【００１５】
その内、天然エッセンシャルオイル溶液（３１）は植物（サンダルウッド、バラ、ミント、スターアニス、フェンネル、シナモン、ラベンダー、シトロネラ、シトラス）や動物（ムスク、ビーバー香、アンバーグリス）や鉱産（アンバー、ハニーワックス）やほかの合成抽出精油から作られる。
【００１６】
その内、天然エッセンシャルオイル（３１）治療効果を有する薬物組成物が添加されることができる。
【符号の説明】
【００１７】
１  ・・・マスク本体、  １１・・・収納袋、    １２・・・袋口、
１３・・・ブレース、    １４・・・イヤーストラップ、
２  ・・・香り袋、
３  ・・・粒子、        ３１・・・天然エッセンシャルオイル溶液。
【図１】
0003213595.tif 000003
【図２】
0003213595.tif 000004
【図３】
0003213595.tif 000005
【図４】
0003213595.tif 000006